(57)【要約】【課題】  本発明は，対象物の洗浄を行う際に用いる水の洗浄力を効率的に高めることができるとともに，コーティング（対象物への被膜形成）を行う際の作業効率を高めることができる洗浄及び被膜形成装置等を提供することを目的とする。【解決手段】  本発明の洗浄及び被膜形成装置１００は，対象物の洗浄や対象物への被膜形成を行うためのものであり，コート液を収容するコート槽１と，コート槽１と接続された混合加電槽２と，混合加電槽２に接続する水供給装置３と，混合加電槽２の送出口と接続された放出装置４とを有する。また，コート槽１と混合加電槽２との間には，弁５が設けられている。混合加電槽２は，槽内の液体を混合し，混合した液体に電気を通すものである。そして，洗浄時には，混合加電槽２へのコート液の供給がなされず，被膜形成時には，混合加電槽２へとコート液が供給される。【選択図】図１
2011099143.tif 000002
【特許請求の範囲】
【請求項１】
コート液を収容するコート槽（１）と，
前記コート槽（１）と接続され，前記コート槽（１）から前記コート液を受け取ることができる，混合加電槽（２）と，
前記混合加電槽（２）と接続され，前記混合加電槽（２）へ水を供給できる水供給装置（３）と，
前記混合加電槽（２）の送出口と接続された放出装置（４）と，
前記コート槽（１）と前記混合加電槽（２）との間に設けられ，前記混合加電槽（２）へ供給される前記コート液の量を調整する第１の弁（５）と，
を有し，
前記混合加電槽（２）は，槽内の液体を混合し，混合した液体に電気を通すものであり，
対象物を洗浄する場合には，
前記第１の弁（５）を閉として，前記コート槽（１）から前記混合加電槽（２）へコート液が供給されないようにし，
前記混合加電槽（２）内の液体が，前記放出装置（４）から放出され，これにより，前記対象物を洗浄することができ，
対象物に被膜を形成する場合には，
前記第１の弁（５）を開として，前記コート槽（１）から前記混合加電槽（２）へコート液が供給されるようにし，
前記水供給装置（３）からの水と前記コート液とが混合加電槽（２）において混合され，通電されて前記放出装置（４）から放出され，これにより，前記コート液による被膜を前記対象物に形成することができる，
洗浄及び被膜形成装置。
【請求項２】
前記コート液は，珪酸ソーダ溶液を含む，
請求項１に記載の洗浄及び被膜形成装置。
【請求項３】
前記水供給装置（３）と前記混合加電槽（２）との間に設けられ，前記混合加電槽（２）へ供給される水の量を調整する第２の弁（１０）をさらに含む，
請求項１に記載の洗浄及び被膜形成装置。
【請求項４】
前記混合加電槽（２）と接続され，前記混合加電槽（２）へ水蒸気を供給できる蒸気発生装置（１１）をさらに含む，
請求項１に記載の洗浄及び被膜形成装置。
【請求項５】
前記水供給装置（３）と前記混合加電槽（２）との間に設けられたろ過装置（１２）をさらに有し，
前記ろ過装置（１２）は，多孔質物質を含み，
これにより，前記ろ過装置（１２）は，前記水供給装置（３）が前記混合加電槽（２）へ供給する水をろ過することができる，
請求項１に記載の洗浄及び被膜形成装置。
【請求項６】
前記水供給装置（３）と前記混合加電槽（２）との間に設けられたミネラル成分付与装置（１３）をさらに有し，
前記ミネラル成分付与装置（１３）は，水が接する部位に，ガラス成分又はミネラル成分を有するセラミックスを有するものであり，
前記ガラス成分又は前記ミネラル成分を有するセラミックスに水が接することにより，水に前記ガラス成分又は前記ミネラル成分が溶出する，
請求項１に記載の洗浄及び被膜形成装置。
【請求項７】
前記ミネラル成分付与装置（１３）を通過した水の総量又は前記ミネラル成分付与装置（１３）を通過する水の総量を計算する通水管理装置をさらに有する，
請求項６に記載の洗浄及び被膜形成装置。
【請求項８】
コート液を収容するコート槽（１）と，
前記コート槽（１）と接続され，前記コート槽（１）から前記コート液を受け取ることができる，混合加電槽（２）であって，槽内の液体を混合し，混合した液体に電気を通す混合加電槽（２）と，
前記混合加電槽（２）と接続され，前記混合加電槽（２）へ水を供給できる水供給装置（３）と，
前記混合加電槽（２）の送出口と接続された放出装置（４）と，
前記コート槽（１）と前記混合加電槽（２）との間に設けられ，前記混合加電槽（２）へ供給される前記コート液の量を調整する第１の弁（５）と，
を有する洗浄及び被膜形成装置を用いて，対象物に対して洗浄処理又は被膜形成処理を施すための洗浄及び被膜形成方法であって，
前記対象物に対して前記洗浄処理を施す場合には，
前記第１の弁（５）を閉として，前記コート槽（１）から前記混合加電槽（２）へコート液が供給されないようにし，
前記混合加電槽（２）内の液体を，前記放出装置（４）から放出し，
前記対象物に対して前記被膜形成処理を施す場合には，
前記第１の弁（５）を開として，前記コート槽（１）から前記混合加電槽（２）へコート液を供給し，
前記水供給装置（３）からの水と前記コート液とを混合加電槽（２）において混合し，通電して前記放出装置（４）から放出する，
洗浄及び被膜形成方法。
【発明の詳細な説明】
【技術分野】
【０００１】
本発明は，洗浄及び被膜形成装置，並びに洗浄及び被膜形成方法などに関する。
【背景技術】
【０００２】
対象物を水で洗浄する洗浄装置としては，例えば特許文献１（特許第３７８６２４９号明細書）に記載されている洗浄装置がある。
【０００３】
この洗浄装置は，粒状セラミックス（例えば，トルマリン）を充填した水活性タンクと，送出口を有する送水装置とを含む。そして，対象物を洗浄するためには，水活性タンクを通過した水を，送水装置の送出口から対象物に向けて放出する。ここで，水が水活性タンクを通過することにより水の品質が改善され，その水は，活性水となる。このようにすることで，この洗浄装置では，対象物を洗浄するときの洗浄力が高めることができる。
しかしながら，上記洗浄装置では，水が粒状セラミックスに接したからといってその全てが活性水となるわけではない。そのため，上記洗浄装置では，水の洗浄力を高める効率が優れているとはいえなかった。
【０００４】
ところで，上述したような洗浄装置では，水に代えてコート液を用いることで，対象物の表面に当該コート液による被膜を形成すること（コーティング）が可能である。しかしながら，対象物を洗浄した後にコーティングを行うためには，水からコート液に切り替える切り替え作業を伴うこととなる。そのため，洗浄装置を用いた場合，コーティングの作業性は優れているとはいえなかった。特に，水と混合可能なコート液（例えば水で希釈可能なコート液）を用いてコーティングを行う場合，水を用いるにも関わらず，上記切り替え作業を行わなければならないという問題がある。
【先行技術文献】
【特許文献】
【０００５】
【特許文献１】特許第３７８６２４９号明細書
【発明の概要】
【発明が解決しようとする課題】
【０００６】
そこで，本発明は，対象物の洗浄を行う際に用いる水の洗浄力を効率的に高めることができるとともに，コーティング（対象物への被膜形成）を行う際の作業効率を高めることができる洗浄及び被膜形成装置，並びに洗浄及び被膜形成方法等を提供することを目的とする。
【０００７】
なお，本発明の他の課題及び目的は，以下の記載を参酌することにより明らかとなる。
【課題を解決するための手段】
【０００８】
本発明の第１の側面は，洗浄及び被膜形成装置に関する。この洗浄及び被膜形成装置は，コート液を収容するコート槽（１）と，コート槽（１）と接続され，コート槽（１）からコート液を受け取ることができる混合加電槽（２）と，混合加電槽（２）と接続され，混合加電槽（２）へ水を供給できる水供給装置（３）と，混合加電槽（２）の送出口と接続された放出装置（４）とを有する。また，コート槽（１）と混合加電槽（２）との間には，混合加電槽（２）へ供給されるコート液の量を調整する第１の弁（５）が設けられている。上記混合加電槽（２）は，槽内の液体を混合し，混合した液体に電気を通すためのものである。これにより，対象物の洗浄を行う際に用いる水の洗浄力を効率的に高めることができる。
【０００９】
そして，洗浄及び被膜形成装置において，対象物を洗浄する場合には，まず，第１の弁（５）が閉とされて，コート槽（１）から混合加電槽（２）へコート液が供給されないようにされる。その後，混合加電槽（２）内の液体が，放出装置（４）から放出される。これにより，対象物を洗浄することができる。
【００１０】
一方，洗浄及び被膜形成装置において，対象物に被膜を形成する場合には，まず，第１の弁（５）が開とされて，コート槽（１）から混合加電槽（２）へコート液が供給されるようにされる。その後，水供給装置（３）からの水とコート液とが混合加電槽（２）において混合され，通電されて放出装置（４）から放出される。これにより，コート液による被膜を対象物に形成することができる。このようにすることで，洗浄とコーティングとで切り替え作業が容易である。したがって，コーティング（対象物への被膜形成）を行う際の作業効率を高めることができる。
【００１１】
また，本発明の好ましい側面では，上記コート液が，珪酸ソーダ溶液を含む。これにより，コーティングを確実に行うことができる。また，珪酸ソーダ溶液は，水で希釈可能であるので，洗浄処理に用いる水を用いて希釈することができる。
【００１２】
また，本発明の好ましい側面では，水供給装置（３）と混合加電槽（２）との間に，第２の弁（１０）が設けられている。これにより，混合加電槽（２）へ供給する水の量を調整することができる。
【００１３】
また，本発明の好ましい側面では，上記洗浄及び被膜形成装置が，混合加電槽（２）と接続され，混合加電槽（２）へ水蒸気を供給できる蒸気発生装置（１１）をさらに含んでいる。これにより，混合加電槽（２）内の液体を水蒸気で加熱することができる。そのため，環境負荷が小さい。
【００１４】
また，本発明の好ましい側面では，上記洗浄及び被膜形成装置が，水供給装置（３）と混合加電槽（２）との間に設けられたろ過装置（１２）をさらに有している。ここで，そのろ過装置（１２）は，多孔質物質を含んでいる。これにより，ろ過装置（１２）は，水供給装置（３）が混合加電槽（２）へ供給する水をろ過すること（つまり，浄化すること）ができる。
【００１５】
また，本発明の好ましい側面では，上記洗浄及び被膜形成装置が，水供給装置（３）と混合加電槽（２）との間に設けられたミネラル成分付与装置（１３）をさらに有している。このミネラル成分付与装置（１３）は，水が接する部位に，ガラス成分又はミネラル成分を有するセラミックスを有するものである。そして，ガラス成分又はミネラル成分を有するセラミックスに水が接することにより，水にガラス成分又はミネラル成分が溶出する。その結果，水の洗浄力を高めることができる。
【００１６】
また，本発明の好ましい側面では，上記洗浄及び被膜形成装置が，ミネラル成分付与装置（１３）を通過した水の総量又はミネラル成分付与装置（１３）を通過する水の総量を計算する通水管理装置をさらに有する。これにより，ミネラル成分付与装置（１３）のセラミックスの交換時期を容易に把握することができる。
【００１７】
また，本発明の別の側面は，洗浄及び被膜形成方法に関する。この洗浄及び被膜形成方法では，上記洗浄及び被膜形成装置が用いられる。そして，対象物に対して洗浄処理を施す場合には，まず，第１の弁（５）を閉として，前記コート槽（１）から混合加電槽（２）へコート液が供給されないようにする。その後，混合加電槽（２）内の液体が，放出装置（４）から放出される。一方，対象物に対して被膜形成処理を施す場合には，まず，第１の弁（５）を開として，コート槽（１）から混合加電槽（２）へコート液を供給する。その後，水供給装置（３）からの水とコート液とを混合加電槽（２）において混合し，通電して放出装置（４）から放出する。この側面によっても，上述した側面と同等の効果を奏することができる。
【発明の効果】
【００１８】
本発明によれば，対象物の洗浄を行う際に用いる水の洗浄力を効率的に高めることができるとともに，コーティング（対象物への被膜形成）を行う際の作業効率を高めることができる洗浄及び被膜形成装置，並びに洗浄及び被膜形成方法等を提供することができる。
【図面の簡単な説明】
【００１９】
【図１】図１は，本発明の洗浄及び被膜形成装置の構成を概略的に示す図である。
【図２】図２は，図１に示す洗浄及び被膜形成装置において，第２の弁，ろ過装置，及びミネラル成分付与装置が設けられていない場合の構成を概略的に示す図である。
【発明を実施するための形態】
【００２０】
以下，図面を用いて本発明を実施するための形態を説明する。しかしながら，以下説明する形態はある例であって，当業者にとって自明な範囲で適宜修正することができる。
【００２１】
図１は，本発明の洗浄及び被膜形成装置の構成を概略的に示す図である。
【００２２】
図１に示す洗浄及び被膜形成装置１００は，コート槽１と，混合加電槽２と，水供給装置３と，放出装置４とを有している。洗浄及び被膜形成装置１００は，対象物に対して洗浄処理を施したり，対象物に対してコーティング処理（コート液による被膜形成）を施したりするためのものである。
【００２３】
コート槽１は，コート液を収容するためのものである。コート液は，コーティングの際に用いられる液体である。そして，コート液は，水と混合可能なもの，特には，水で希釈可能な液体であることが好ましい。そのようなコート液としては，珪酸ソーダ溶液（水ガラス溶液）を挙げることができる。珪酸ソーダ溶液は，好ましくは，珪酸ナトリウムのホウ酸溶液であり，より好ましくは，珪酸ナトリウム１重量部に対してホウ酸が３．５重量部である。
【００２４】
混合加電槽２は，コート槽１と接続されている。すなわち，混合加電槽２は，コート槽１からコート液を受け取ることができるように構成されている。ここで，コート槽１と混合加電槽２との間には，図１に示すように，第１の弁５が設けられている。この第１の弁５は，通過する液体の量を調整するためのものであり，本態様では，コート槽１から混合加電槽２へ供給されるコート液の量を調整するために使用される。
【００２５】
また，混合加電槽２は，槽内の液体を混合する混合手段と，槽内の液体に電気を通すための加電手段とを含んでいる。したがって，混合加電槽２は，槽内の液体を混合しながら，その液体に電気を通すこと（通電）ができるように構成されている。
【００２６】
水供給装置３は，水を供給するためのものであり，混合加電槽２と接続されている。これにより，水供給装置３は，混合加電槽２へ水を供給できるようになっている。水供給装置３が供給する水は，上水道を流れる飲料水であってもよいし，工業用水であってもよいし，地下水であってもよい。
【００２７】
放出装置４は，送出口（ノズル）を有するとともに，当該送出口から液体を放出するための放出手段を有している。そして，この放出手段（４）は，図１に示すように，混合加電槽２と接続されている。これにより，混合加電槽２内の液体を外部（対象物）に向かって放出することができるようになっている。本態様では，送出口の外形は，扇形をなしている。したがって，水は，送出口から広範囲にわたって放出されることとなる。このため，飛散防止のための邪魔板を用いる必要をなくすことができ，施工効率を高めることができる。また，好ましくは，放出装置４は，液体の放出及びその停止，さらには単位時間当たりの放出量を制御可能に構成されている。この場合には，放出手段（４）に滞留した液体が混合加電槽２を循環するように，復路となる流路を別途設けることがより好ましい。
【００２８】
また，放出装置４の放出手段の例は，ポンプ（エンジン）である。ポンプは，例えば，吐出圧が４ＭＰａ以上であり，かつ噴出能力が１分間当たり１２リットル以上である。これにより，施工効率を高めることができる。なお，ポンプの吐出圧及び噴出能力は，洗浄やコーティングの対象物の大きさなどによって選択される。なお，放出手段を設けずに，混合加電槽２内の液体の圧力によってノズルから自然に放出されるようにしてもよい。
【００２９】
また，洗浄及び被膜形成装置１００は，さらに，第２の弁１０を含んでいる。この第２の弁１０は，通過する液体の量を調整するためのものであり，図１に示すように，水供給装置３と混合加電槽２との間に設けられている。そのため，第２の弁１０は，混合加電槽２へ供給される水の量を調整するために使用される。
【００３０】
また，洗浄及び被膜形成装置１００は，さらに，蒸気発生装置１１を含んでいる。この蒸気発生装置１１は，水蒸気を生成するためのものであり，本態様では，図１に示すように，混合加電槽２と接続されている。そのため，蒸気発生装置１１は，混合加電槽２へ水蒸気を供給できるようになっている。そして，この水蒸気は，混合加電槽２の熱源として用いられる。熱源として，水蒸気を用いることにより，石油資源などを用いた場合に比べて環境負荷を小さくすることができる。放出好ましくは，蒸気発生装置１１は，放出装置４のポンプ上に載置可能に構成されている。これは，通常，ポンプは重量物であり，安定していることと，蒸気発生装置１１は高温になることを考慮したためである。これにより，ポンプの転倒をより確実に防止することができるとともに，高温になる蒸気発生装置１１が作業員の足下に置かれる事態をなくすことができる。その結果，安全性を高めることができるとともに，ポンプや蒸気発生装置１１の転倒等に起因した故障を防止することができる。
【００３１】
また，洗浄及び被膜形成装置１００は，さらに，ろ過装置１２を有している。このろ過装置１２は，多孔質物質を含んでいる。多孔質物質は，例えば，大きさが１μｍ程度の空隙流路を有している。そのような多孔質物質としては，活性炭や椰子ガラを挙げることができる。そして，この多孔質物質は，具体的には，ろ過装置１２内において，液体の流路上に配置される。これにより，通過する液体に溶存している不純物（例えば塩素成分）などを多孔質物質表面に吸着させたり，その液体に含まれている固形不純物を多孔質物質内の空隙流路内に残したりすることができる。すなわち，ろ過装置１２は，通過する液体を浄化することができるように構成されている。本態様では，ろ過装置１２は，図１に示すように，水供給装置３と混合加電槽２との間に設けられている。なお，図１に示す例では，ろ過装置１２は，水供給装置３と第２の弁１０との間に設けられているが，第２の弁１０と混合加電槽２との間に設けられていてもよい。これにより，ろ過装置１２は，水供給装置３が混合加電槽２へ供給する水をろ過することができるようになっている。なお，ろ過装置１２は，水を浄化することができればいかなるものであってもよく，例えば，通過する液体に含まれている不純物を吸着する電磁手段を含むものであってもよいし，通過する液体に溶存している不純物を固体として析出させた後フィルタリングするものであってもよい。
【００３２】
また，洗浄及び被膜形成装置１００は，さらに，ミネラル成分付与装置１３を有している。このミネラル成分付与装置１３は，セラミックスを含んでいる。このセラミックスは，例えばガラス成分（例えば，ホウ珪酸ナトリウム）又はミネラル成分を含有している。ミネラル成分は，好ましくは，マグネシウム，カルシウム，ナトリウム，及びカリウムから選択された少なくとも１つである。また，好ましくは，セラミックスは，粒状又は粉状態であり，ミネラル成分付与装置１３を通過する液体（例えば，水）に接する表面積が広くなるようになっている。本態様では，ミネラル成分付与装置１３は，図１に示すように，水供給装置３と混合加電槽２との間，具体的には，水供給装置３と上記第２の弁１０との間に設けられている。これにより，ミネラル成分付与装置１３のセラミックスは，水に接することとなり，その結果，セラミックスが含有しているガラス成分又はミネラル成分が水に溶出することとなる。
【００３３】
また，洗浄及び被膜形成装置１００は，さらに，通水管理装置を有している（図示せず）。この通水管理装置は，例えば，通過する液体の量を時間の変化とともに記録するためのものであり，さらに，その記録に基づいて，所定時間に通過した液体の総量を計算することが可能に構成されている。そして，この通水管理装置を，ミネラル成分付与装置１３と第２の弁１０との間に設置することにより，通水管理装置は，記録に基づいて，ミネラル成分付与装置１３を通過した水（ガラス成分又はミネラル成分が溶出した水）の総量を計算することが可能である。なお，この通水管理装置を，第２の弁１０上，又は，第２の弁１０と混合加電槽２との間に設置してもよい。この場合，通水管理装置は，記録に基づいて，混合加電槽２に供給される水の総量を計算することが可能である。又は，通水管理装置を，水供給装置３とミネラル成分付与装置１３との間に設置してもよい。この場合，通水管理装置は，記録に基づいて，ミネラル成分付与装置１３を通過することとなる水の総量（つまり，ミネラル成分付与装置１３に供給される水の総量）に供給される液体の総量を計算することが可能である。
【００３４】
そして，上述した洗浄及び被膜形成装置１００の構成要素（水供給装置３を除く）は，それぞれ１つの部品をなしており，作業現場にて組み立て可能に構成されている。すなわち，洗浄及び被膜形成装置１００は，運搬容易に構成されている。また，各構成要素には，逆止弁などが設けられており，逆流を防止できるように構成されていることが好ましい。また，洗浄及び被膜形成装置１００は，放出装置４を含んでいなくてもよい。この場合，洗浄及び被膜形成装置１００は，液体を混合する混合装置として機能させることが可能であり，具体的には，混合加電槽２において，コート槽１からのコート液と，水供給装置３からの水とを任意の割合で混合させることが可能である。
【００３５】
次に，洗浄及び被膜形成装置１００の動作について説明する。先に説明したとおり，洗浄及び被膜形成装置１００は，対象物に対して洗浄処理を施したり，対象物に対してコーティング処理（コート液による被膜形成）を施したりすることが可能である。
【００３６】
まず，洗浄及び被膜形成装置１００によって対象物を洗浄する場合について説明する。この場合，まず，洗浄及び被膜形成装置１００では，第１の弁５が閉（クローズ）の状態にされるとともに，第２の弁１０が開（オープン）の状態にされる。これにより，コート槽１から混合加電槽２へコート液が供給されないようになるとともに，水供給装置３からの水が混合加電槽２に供給されるようになる。本態様では，水供給装置３から供給された水は，混合加電槽２へ供給されるまでの間に，ミネラル成分付与装置１３によってガラス成分又はミネラル成分が溶出した状態となっており，さらには，ろ過装置１２によって，浄化された状態となっている。
【００３７】
続いて，洗浄及び被膜形成装置１００では，混合加電槽２に供給された水が，混合加電槽２内において，混合手段によって混合されながら，加電手段によって通電される。これにより，混合加電槽２内の水は，品質が改善して，活性水となる。この活性水は，具体的には，電界又はその電界に起因する磁力によって，水の構成単位であるクラスターがより微細化されたものである。また，必要に応じて，混合加電槽２に，蒸気発生装置１１から水蒸気を供給する。これにより，混合加電槽２内の水の温度が上昇して，水の活性化を促進することができるとともに，水の洗浄力を高めることができる。
【００３８】
そして，混合加電槽２内の液体（つまり活性水）は，放出装置４の送出口から放出される。この放出した活性水を，対象物に向けることで，当該対象物を洗浄することができる。
【００３９】
また，洗浄処理を中断する場合には，第２の弁１０が閉（クローズ）の状態にされる。これにより，混合加電槽２に水が供給されなくなる。また，洗浄処理を終了する場合には，水供給装置３による水の供給を停止する。
【００４０】
なお，洗浄処理の際に，洗浄に用いる水に，第１の弁５を開（オープン）の状態にすることでコート液としての珪酸ソーダ溶液を混入させてもよい。珪酸ソーダ溶液を混入させることで，水をアルカリ性にすることができ，その結果，水の洗浄力を高めることができる。
【００４１】
続いて，洗浄及び被膜形成装置１００によって対象物をコーティングする場合について説明する。この場合，まず，洗浄及び被膜形成装置１００では，第１の弁５が開（オープン）の状態にされるとともに，第２の弁１０が閉（クローズ）の状態にされる。これにより，コート槽１から混合加電槽２へコート液が供給されるようになるとともに，水供給装置３からの水が混合加電槽２に供給されないようになる。
【００４２】
その結果，混合加電槽２には，コート槽１からのコート液が満たされる。混合加電槽２内のコート液は，混合手段によって混合されながら，加電手段によって通電される。これにより，混合加電槽２内のコート液は，品質が改善して，被膜形成に適した状態（活性化状態）となる。また，コート液が水を含有する場合には，その水も，品質が改善して，活性水となる。
【００４３】
そして，混合加電槽２内で活性化状態となったコート液は，放出装置４の送出口から放出される。この放出したコート液を，対象物に向けることで，当該対象物の表面にコート液による被膜を形成すること（コーティング）ができる。
【００４４】
また，コーティング処理を中断又は終了する場合には，第１の弁５が閉（クローズ）の状態にされる。これにより，混合加電槽２にコート液が供給されなくなる。
【００４５】
以上詳細に説明したように，本態様に係る洗浄及び被膜形成装置１００によれば，洗浄処理を行う場合とコーティング処理を行う場合との切り替えを，弁の開閉状態を制御するだけで行うことができる。このため，切り替え作業が容易である。したがって，洗浄及び被膜形成装置１００を用いることにより，例えば，対象物に対して洗浄処理を施した後にコーディング処理を施すことが簡便に行うことができる。また，洗浄及び被膜形成装置１００は，混合加電槽２を備えているので，水やコート液を容易に活性化することができる。そして，その活性化の効率は，トルマリンなどのセラミックスを用いた場合（従来技術）よりもはるかに高い。また，洗浄及び被膜形成装置１００にミネラル成分付与装置１３を設けることで，ガラス成分又はミネラル成分を水に溶出させ，さらには，混合加電槽２でガラス成分又はミネラル成分のイオン化を促進することで，洗浄力をより高めることができる。
【００４６】
また，本態様に係る洗浄及び被膜形成装置１００によれば，通水管理装置が設けられているので，ミネラル成分付与装置１３内に配置されたセラミックスやフィルターの交換時期を容易に把握することができる。なお，洗浄及び被膜形成装置１００は，通水管理装置が設けられていなくてもよい。
【００４７】
また，本態様に係る洗浄及び被膜形成装置１００によれば，ろ過装置１２が設けられているので，水供給装置３からの水がどのような水であっても使用することができる。なお，洗浄及び被膜形成装置１００は，必ずしも水供給装置３を備えている必要はなく，水供給装置３に接続可能に構成されていればよい。また，水供給装置３からの水が十分に浄化されているものであれば，洗浄及び被膜形成装置１００に，ろ過装置１２が設けられていなくてもよい。
【００４８】
また，水供給装置３からの水の供給を容易に制御できる場合（例えば，放出装置４の送出口が水供給装置３の近傍にある場合），第２の弁１０を洗浄及び被膜形成装置１００に設けないようにしてもよい。同様に，放出装置４において水の放出を容易に制御できる場合にも，第２の弁１０を洗浄及び被膜形成装置１００に設けないようにしてもよい。ここで，図２には，図１に示す洗浄及び被膜形成装置１００において，第２の弁１０，ろ過装置１２，及びミネラル成分付与装置１３が設けられていない装置の構成が概略的に示されている。
【００４９】
ところで，上述したコーティング処理の例では，コート槽１からのコート液のみを用いたが，コート液が水で希釈可能である場合，コート液を水で希釈しながらコーティング処理を行ってもよい。この場合，第２の弁１０が完全に閉（クローズ）の状態とならないように調節することで，コート液を希釈しながらコーティング処理を行うことができる。このため，コーティング処理にかかる作業を非常に簡略化することができる。さらには，コート槽１内にコート液の原液などを収容することができ，コート液を補充することなく，コーティング処理を長い時間に亘って行うことができるため，作業効率を格段に高めることができる。特に好ましくは，コーティング処理中に，第２の弁１０の状態を変化させる。これにより，コート液の希釈度合いを調整することができる。その結果，例えば，対象物の部位によって，形成すべき被膜の厚さを容易に変更することができることとなる。また，この場合においても，必要に応じて，混合加電槽２に，蒸気発生装置１１から水蒸気を供給することが可能である。これにより，混合加電槽２内のコート液及び水の温度が上昇して，コート液及び水の活性化を促進することができるとともに，コート液の乾燥を早期化させることができる。
【００５０】
また，コート液が水で希釈可能である場合，第１の弁５を完全に閉（クローズ）の状態した状態で，混合加電槽２内に水を供給することで，容易に混合加電槽２内の壁面の洗浄や，放出装置４の送出口までの流体の通路の洗浄を行うこともできる。
【産業上の利用可能性】
【００５１】
本発明は，対象物に対して洗浄処理を施す分野や，対象物に対してコーティング処理（被膜形成処理）を施す分野等で好適に利用されうる。
【符号の説明】
【００５２】
１  コート槽
２  混合加電槽
３  水供給装置
４  放出装置
５  第１の弁
１０  第２の弁
１１  蒸気発生装置
１２  ろ過装置
１３  ミネラル成分付与装置
１００  洗浄及び被膜形成装置
【図１】
2011099143.tif 000003
【図２】
2011099143.tif 000004